(57)【要約】  【課題】  常に確実なバックアップが得られるようにした番組収録システムを提供すること。  【解決手段】  ビデオサーバなどのメイン映像・音声信号収納装置１０３の外にＶＴＲなどのサブ映像・音声信号収録機器１０４を備え、メイン映像・音声信号収納装置１０３に系列局から映像・音声信号ＶＡを収録する際、制御装置１０５により信号切換器１０２を制御し、映像・音声信号ＶＡを同時にメイン映像・音声信号収納装置１０３とサブ映像・音声信号収録機器１０４の双方に収録させ、制御装置１０５により映像・音声信号ＶＡのバックアップが自動的に得られるようにしたもの。  【選択図】図１
2005080187.tif 000002
【特許請求の範囲】
【請求項１】
放送に使用するメイン映像・音声収録機器と、バックアップ用のサブ映像・音声収録機器を備えた番組収録システムにおいて、
前記メイン映像・音声収録機器及び前記サブ映像・音声収録機器に映像・音声信号の入力を切換える信号切換手段と、
前記メイン映像・音声収録機器及び前記サブ映像・音声収録機器それに信号切換手段の夫々の動作を制御する制御手段を設け、
前記制御手段は、外部から与えられる番組収録開始予定日時と番組収録終了予定日時に従って前記メイン映像・音声収録機器及び前記サブ映像・音声収録機器それに信号切換手段の夫々の動作を制御することを特徴とする番組収録システム。
【発明の詳細な説明】
【技術分野】
【０００１】
本発明は、映像・音声収録機器を用いて番組を収録するようにした番組収録システムに係り、特に、番組の収録に失敗した場合にも問題が生じる虞れのない番組収録システムに関する。
【背景技術】
【０００２】
一般の放送局では、放送予定の番組の作成に必要な放送用素材については、事前にマイクロ回線や衛星通信を介して系列の放送局などから伝送を受け、これを収録して当該放送予定の番組を作成し、放送予定日に放送する方法が従来から採用されている(例えば、特許文献１参照。)。
【０００３】
そして、このときの放送用素材の収録には、近年、ビデオサーバなどの映像・音声収録機器を用いるのが一般的であるが、このとき、収録が失敗した場合に備え、ＶＴＲなど他の映像・音声収録機器にも並行して同じ放送用素材を収録しておき、バックアップが得られるようにしている。
【０００４】
そして、従来技術では、このバックアップのためのＶＴＲなどの映像・音声収録機器の操作は手動で行なわれ、収録開始予定時刻に人(運用者)が操作して収録していた。
【０００５】
なお、このように、バックアップが得られるようにしたシステムの場合、実際に放送に使用するビデオサーバなどの映像・音声収録機器の外にバックアップ用のＶＴＲなど他の映像・音声収録機器を備えている。
【０００６】
そこで、以下、実際に放送に使用するビデオサーバなどの映像・音声収録機器については、メイン(主)映像・音声収録機器と呼び、バックアップ用のＶＴＲなど他の映像・音声収録機器についてはサブ(副)映像・音声機器と呼ぶことにする。
【特許文献１】特開２００１−１５７１６０号公報
【発明の開示】
【発明が解決しようとする課題】
【０００７】
上記従来技術は、手動操作に伴う問題点に配慮がされておらず、バックアップの確実な付与が困難であった。
【０００８】
従来技術では、サブ映像・音声収録機器の操作が手動になっているため、誤操作や収録開始予定時刻変更時に人為的ミスの発生が免れず、従って、バックアップの確実な付与が困難になってしまうのである。
【０００９】
ここで、バックアップが失敗し、このとき、不運にもメイン映像・音声収録機器の収録も失敗したとすると、マイクロ波回線や衛星通信などを使用して、系列局などから再度、当該放送用素材の伝送を受けなければならず、時間と費用の浪費がもたらされてしまうことになる。
【００１０】
本発明の目的は、常に確実なバックアップが得られるようにした番組収録システムを提供することにある。
【課題を解決するための手段】
【００１１】
上記目的は、放送に使用するメイン映像・音声収録機器と、バックアップ用のサブ映像・音声収録機器を備えた番組収録システムにおいて、前記メイン映像・音声収録機器及び前記サブ映像・音声収録機器に映像・音声信号の入力を切換える信号切換手段と、前記メイン映像・音声収録機器及び前記サブ映像・音声収録機器それに信号切換手段の夫々の動作を制御する制御手段を設け、前記制御手段は、外部から与えられる番組収録開始予定日時と番組収録終了予定日時に従って前記メイン映像・音声収録機器及び前記サブ映像・音声収録機器それに信号切換手段の夫々の動作を制御することにより達成される。
【発明の効果】
【００１２】
本発明によれば、バックアップ用映像・音声信号収録機器に対する放送用素材の収録操作が自動的に遂行されるので、バックアップが確実に得られ、運用者の負担軽減が図れると共に、時間と費用の浪費も抑えることができる。
【発明を実施するための最良の形態】
【００１３】
以下、本発明による番組収録システムについて、図示の実施の形態により詳細に説明する。
【００１４】
図１は本発明の一実施形態で、ここには、本発明の一実施形態に係る番組収録システム１００が示され、これは、放送用素材受信端末１０１、信号切換器１０２、メイン主映像・音声信号収録機器１０３、サブ映像・音声信号収録機器１０４、それに制御装置１０５で構成されている。
【００１５】
そして、まず、放送用素材受信端末１０１は、マイクロ回線や衛星通信などの伝送系を介して放送用素材の供給源(図示してない)に結ばれていて、そこから所定の時間に所定の放送用素材の伝送を受け、それを映像・音声信号ＶＡとして出力する。
【００１６】
なお、ここにいう放送用素材の供給源とは、例えば、この番組収録システム１００が備えられている放送局と同じ系列の他の放送局、いわゆる系列局のことである。
【００１７】
次に、信号切換器１０２は、放送用素材受信端末１０１から供給されてくる映像・音声信号ＶＡをメイン映像・音声信号収録機器１０３とサブ映像・音声信号収録機器１０４の双方の入力に接続したり、サブ映像・音声信号収録機器１０４の出力をメイン映像・音声信号収録機器１０３の入力に接続したりする働きをする。
【００１８】
ここで、まずメイン映像・音声信号収録機器１０３が上記したビデオサーバであり、これに所定の番組として収録された放送用素材が放送予定日に読出され、放送されることになる。このため、その入力は信号切換器１０２に接続され、出力は送信用機器(図示してない)に接続されている。
【００１９】
そして、次にサブ映像・音声収録機器１０４が上記したバックアップ用の機器で、これには例えばＶＴＲが用いられ、その入力と出力は何れも信号切換器１０２に接続されている。
【００２０】
そして、これら放送用素材受信端末１０１と信号切換器１０２、メイン映像・音声信号収録機器１０３、それにサブ映像・音声信号収録機器１０４は何れも制御装置１０５により制御されるようになっており、このため、各機器とはＲＳ４２２などの制御線で接続されている。
【００２１】
このとき、制御装置１０５には、更にＲＳ４２２などの制御線により時計信号発生器１０６が接続されており、同じくＬＡＮにより上位システム１０７が接続されている。
【００２２】
そして、まず、時計信号発生器１０６は、制御装置１０５に現在の日付・時刻情報を供給する働きをするもので、このため制御装置１０５とはＲＳ４２２などの制御線で接続されている。
【００２３】
次に、上位システム１０７は、番組収録日時の設定などを行なうためのシステムで、このため制御装置１０５とはＬＡＮで接続されている。
【００２４】
次に、この実施形態の動作について、図２Ａと図２Ｂのフローチャートを用いて説明する。ここで、このフローチャートによる処理は制御装置１０５が起動されることにより開始される。
【００２５】
そして、処理が開始されると、まず、上位システム１０７から番組収録開始予定日時と番組収録終了予定日時の取得を実行し(ステップ２０１)、次に時計信号発生器１０６から現在日付・時刻の取得を実行し(ステップ２０２)、この後、収録開始予定時刻に到達したか否かの判定を実行する(ステップ２０３)。
【００２６】
ここで、判定結果がＮＯ、つまり、まだ収録開始予定時刻に到達していないときには、現在日付・時刻の取得処理(ステップ２０２)に戻るが、判定結果がＹＥＳ、つまり、到達していたときには、この後、信号切換器１０２を切換制御し、メイン映像・音声信号収録機器１０３とサブ映像・音声信号収録機器１０４の入力を共に放送用素材受信端末１０１の出力に切換える(ステップ２０４)。
【００２７】
従って、このとき信号切換器１０２は、接点ａ、ｂがオンに切換えられ、接点ｃはオフに切換えられる。
【００２８】
そして、この後、これら映像・音声信号収録機器１０３とサブ映像・音声信号収録機器１０４を制御し、放送用素材受信端末１０１から出力されてくる映像・音声信号ＶＡの収録を開始させる(ステップ２０５)。
【００２９】
次いで、時計信号発生器１０６から再び現在日付・時刻の取得を実行し(ステップ２０６)、今度は収録終了予定時刻に到達したか否かの判定を行なう(ステップ２０７)。
【００３０】
そして、ここでも判定結果がＮＯ、つまり、まだ収録終了予定時刻に到達していないときには、現在日付・時刻の取得処理(ステップ２０６)に戻るが、判定結果がＹＥＳ、つまり、到達していたときには、この後、メイン映像・音声信号収録機器１０３とサブ映像・音声信号収録機器１０４を停止制御し、ここで収録を終了する(ステップ２０８)。
【００３１】
そして、このステップ２０８の後は再びステップ２０１の処理に戻り、以後、上位システム１０７から番組収録開始予定日時と番組収録終了予定日時の取得が得られなくなるまで処理を繰り返すのである。
【００３２】
以上の結果、この実施形態によれば、所定の番組収録開始予定日時になり、メイン映像・音声信号収録機器１０３の収録が開始されると、その都度、サブ映像・音声信号収録機器１０４に対しても常に同じ映像・音声信号ＶＡが自動的に収録され、バックアップが与えられるようになる。
【００３３】
従って、この実施形態によれば、誤操作や操作忘れなどの人為的ミスによる収録失敗の虞れがなく、常に確実にバックアップを得ることができ、この結果、運用者の負担が軽減され、時間と費用が浪費されるのを抑えることができる。
【００３４】
また、この実施形態では、番組収録開始予定日時の変更が発生した場合には、上位システム１０７から変更が通知されるので、サブ映像・音声信号収録機器１０４の収録動作も自動的に変更される。
【００３５】
従って、この実施形態によれば、番組収録開始予定日時の変更が生じたときでも、誤操作や操作忘れなどの人為的ミスによる収録失敗の虞れはなく、常に確実にバックアップを得ることができる。
【００３６】
ここで、いま、何等かの理由でメイン映像・音声信号収録機器１０３の収録が失敗し、バックアップが必要になった場合、制御装置１０５は、まず信号切換器１０２を切換制御し、今度はメイン映像・音声信号収録機器１０３の入力をサブ映像・音声信号収録機器１０４の出力に切換える。
【００３７】
従って、このとき信号切換器１０２の接点ａ、ｂはオフに切換えられ、接点ｃがオンに切換えられる。そこで、この後、制御装置１０５は、サブ映像・音声信号収録機器１０４を信号読出動作に制御し、これと同時にメイン映像・音声信号収録機器１０３は記録動作に制御する。
【００３８】
そうすると、これによりサブ映像・音声信号収録機器１０４にバックアップされていた放送用素材がメイン映像・音声信号収録機器１０３に記録されて行くので、やがて収録が回復し、この結果、収録失敗は修復され、上記したように、時間と費用の浪費が抑えられることになる。
【図面の簡単な説明】
【００３９】
【図１】本発明による番組収録システムの一実施形態を示すブロック構成図である。
【図２Ａ】本発明の一実施形態の動作を説明するためのフローチャートである。
【図２Ｂ】本発明の一実施形態の動作を説明するためのフローチャートである。
【符号の説明】
【００４０】
１００  番組収録システム(本発明の一実施形態)
１０１  放送用素材受信端末
１０２  信号切換器
１０３  メイン映像・音声信号収納装置(ビデオサーバなど)
１０４  サブ映像・音声信号収納装置(ＶＴＲなど)
１０５  制御装置
１０６  時計信号発生器
１０７  上位システム
【図１】
2005080187.tif 000003
【図２Ａ】
2005080187.tif 000004
【図２Ｂ】
2005080187.tif 000005